(57)【要約】  この衣類用生地片１１では、当該衣類用生地片１１を中空ドラム４３に投入し、本体生地２２，３２同士を繰り返し衝突させることにより、融着部２５，３５が擦り合わされて柔軟化されている。これにより、衣類用生地片１１を取り付けた衣類では、融着部２５，３５が直に肌に触ったときの肌触りを向上できる。また、中空ドラム４３には衣類用生地片１１を多数投入することができるので、手作業で融着部２５，３５を研磨する場合と比較して、コストの増加や製造効率の低下を抑えることが可能となる。
2014073036.tif 000002
【特許請求の範囲】
【請求項１】
本体生地の縁部の少なくとも一部に融着部が形成された衣類用生地片であって、
前記融着部は、前記衣類用生地片を中空ドラムに所定数投入して回転させ、前記本体生地同士を繰り返し衝突させることによって柔軟化されていることを特徴とする衣類用生地片。
【請求項２】
前記本体生地には、係止金具の雄部材及び雌部材のいずれか一方が取り付けられていることを特徴とする請求項１記載の衣類用生地片。
【請求項３】
前記柔軟化は、前記衣類用生地片のみを前記中空ドラムに投入することによって実施されていることを特徴とする請求項１又は２記載の衣類用生地片。
【請求項４】
本体生地の縁部の少なくとも一部に融着部が形成された衣類用生地片の製造方法であって、
前記衣類用生地片を中空ドラムに所定数投入して回転させ、前記本体生地同士を繰り返し衝突させることによって前記融着部を柔軟化する柔軟化工程を有していることを特徴とする衣類用生地片の製造方法。
【請求項５】
前記本体生地には、係止金具の雄部材及び雌部材のいずれか一方が取り付けられていることを特徴とする請求項４記載の衣類用生地片の製造方法。
【請求項６】
前記柔軟化工程において、前記衣類用生地片のみを前記中空ドラムに投入することを特徴とする請求項４又は５記載の衣類用生地片の製造方法。
【発明の詳細な説明】
【技術分野】
【０００１】
本発明は、衣類用生地片及び衣類用生地片の製造方法に関する。
【背景技術】
【０００２】
例えば女性用のブラジャーといった衣類には、着用者の背側に向かって延びる左右のバック部同士を着脱自在に係止するため、バック部の先端に後カンと呼ばれる生地片が連結されている（例えば特許文献１参照）。後カンは、例えばホックが取り付けられた雄カンと、ホックを引っ掛ける係止部材が取り付けられた雌カンとが対となることで構成される。そして、バック部の一方端に雄カンを縫着し、他方端に雌カンを縫着することでブラジャーの係止部が形成される。
【先行技術文献】
【特許文献】
【０００３】
【特許文献１】特開２００９−１０２７６９号公報
【発明の概要】
【発明が解決しようとする課題】
【０００４】
上述したような生地片では、例えば折り返された本体生地の縁部を融着処理することによって矩形状等に成形される場合がある。しかしながら、本体生地の融着処理を行うと、融着部分で生地が硬化してしまうことがある。このため、硬化した生地が直に着用者の肌に触ると衣類の肌触りが損なわれるおそれがあった。この場合、肌触りを向上させるために硬化した本体生地を手作業で研磨するのでは、コストの増加や製造効率が低下することが考えられる。【０００５】
本発明は、上記課題の解決のためになされたものであり、製造効率を確保しつつ衣類の肌触りを向上できる衣類用生地片、及びその製造方法を提供することを目的とする。
【課題を解決するための手段】
【０００６】
上記課題の解決のため、本発明に係る衣類用生地片は、本体生地の縁部の少なくとも一部に融着部が形成された衣類用生地片であって、融着部は、衣類用生地片を中空ドラムに所定数投入して回転させ、本体生地同士を繰り返し衝突させることによって柔軟化されていることを特徴としている。【０００７】
この衣類用生地片では、当該衣類用生地片を中空ドラムに投入し、本体生地同士を繰り返し衝突させることにより、融着部が擦り合わされて柔軟化されている。これにより、衣類用生地片を取り付けた衣類では、融着部が直に肌に触ったときの肌触りを向上できる。また、中空ドラムには衣類用生地片を多数投入することができるので、手作業で融着部を研磨する場合と比較して、コストの増加や製造効率の低下を抑えることが可能となる。【０００８】
本体生地には、係止金具の雄部材及び雌部材のいずれか一方が取り付けられていることが好ましい。例えばブラジャーの後カンのように係止金具を有する生地片は、本体生地の縁部に融着処理が施されることが多い部分である一方、着用者の肌に直に触れる部分である。したがって、上記のように融着部が柔軟化されていることが好適である。【０００９】
また、柔軟化は、衣類用生地片のみを中空ドラムに投入することによって実施されていることが好ましい。この場合、柔軟化の作業効率を確保できる。また、コストの増加も回避できる。【００１０】
また、本発明に係る衣類用生地片の製造方法は、本体生地の縁部の少なくとも一部に融着部が形成された衣類用生地片の製造方法であって、衣類用生地片を中空ドラムに所定数投入して回転させ、本体生地同士を繰り返し衝突させることによって融着部を柔軟化する柔軟化工程を有していることを特徴としている。【００１１】
この衣類用生地片の製造方法では、当該衣類用生地片を中空ドラムに投入し、本体生地同士を繰り返し衝突させることにより、融着部を擦り合わせて柔軟化している。これにより、衣類用生地片を取り付けた衣類では、融着部が直に肌に触ったときの肌触りを向上できる。また、中空ドラムには衣類用生地片を多数投入することができるので、手作業で融着部を研磨する場合と比較して、コストの増加や製造効率の低下を抑えることが可能となる。【００１２】
また、本体生地には、係止金具の雄部材及び雌部材のいずれか一方が取り付けられていることが好ましい。例えばブラジャーの後カンのように係止金具を有する生地片は、本体生地の縁部に融着処理が施されることが多い部分である一方、着用者の肌に直に触れる部分である。したがって、上記のように融着部を柔軟化することが好適である。【００１３】
また、柔軟化工程において、衣類用生地片のみを中空ドラムに投入することが好ましい。この場合、柔軟化の作業効率を確保できる。また、コストの増加も回避できる。
【発明の効果】
【００１４】
本発明によれば、製造効率を確保しつつ衣類の肌触りを向上できる。
【図面の簡単な説明】
【００１５】
【図１】本発明の一実施形態に係る衣類用生地片を適用してなるカップ付き衣類の一例を示す正面図である。
【図２】衣類用生地片（雌カン）を示す図である。
【図３】衣類用生地片（雄カン）を示す図である。
【図４】衣類用生地片の柔軟化工程の一例を示す図である。
【発明を実施するための形態】
【００１６】
以下、図面を参照しながら、本発明に係る衣類用生地片及びその製造方法の好適な実施形態について詳細に説明する。
【００１７】
図１は、本発明の一実施形態に係る衣類用生地片を適用してなるカップ付き衣類の一例を示す正面図である。同図に示すように、カップ付き衣類１は、例えば女性用のブラジャーであり、バストを覆うための左右一対のカップ部２と、両カップ部２を連結するようにカップ部２の下縁部に縫着された土台部３と、土台部３の両端にそれぞれ縫着されて後背側に延びるバック部４と、カップ部２の脇側上縁とバック部４との間に掛け渡されたストラップ部５とを備えている。
【００１８】
上記のカップ付き衣類１において、衣類用生地片１１は、左右のバック部４，４同士を係脱自在に連結するためのホック部６を構成する部材として適用されている。ホック部６を構成する衣類用生地片１１は、後カンと呼ばれ、図２に示す雌カン２１と、図３に示す雄カン３１とが対となっている。
【００１９】
雌カン２１は、図２に示すように、例えば帯状の本体生地２２と、本体生地２２の一面（肌と反対面）側に設けられた複数の下地２３と、本体生地２２及び下地２３に設けられた複数の係止金具（雌部材）２４とを有している。本体生地２２は、例えばポリエステル、ナイロン（登録商標）といった合成繊維、或いはポリウレタンといった熱可塑性の弾性糸を含んで形成されている。本体生地２２は、例えば二つ折りの生地の縁部を縫着することによって形成されている。
【００２０】
下地２３は、例えばポリエステル、ナイロン（登録商標）、ポリウレタン等によって本体生地２２と略等幅の矩形状に形成されている。下地２３は、本体生地２２における土台部３側から複数枚配置され、土台部３側に位置する下地２３が先端側に位置する下地２３に一部重なるようにして本体生地２２に縫着されている。
【００２１】
係止金具２４は、下地２３から露出して雄カン３１側の係止金具２４（図３参照）と係合する受け部２４ａと、下地２３の内側に位置して本体生地２２及び下地２３に縫着される固定部（不図示）とを有している。係止金具２４は、例えば下地２３，２３間及び下地２３と本体生地２２との間に３段２つ環で配列され、列間の係止金具２４，２４のピッチは、例えば１０ｍｍ程度となっている。なお、係止金具２４の露出部分は、円形状に限られず、矩形状、Ｕ字形状といった他の形状であってもよい。また、係止金具２４の表面には、メッキが施されていてもよく、本体生地２２と同じ色に塗装が施されていてもよい。
【００２２】
雄カン３１は、図３に示すように、例えば帯状の本体生地３２と、本体生地３２の一面（肌）側に設けられた下地３３と、本体生地３２及び下地３３に設けられた複数の係止金具（雄部材）３４とを有している。本体生地３２は、例えばポリエステル、ナイロン（登録商標）といった合成繊維、或いはポリウレタンといった熱可塑性の弾性糸を含んで形成されている。本体生地３２は、例えば二つ折りの生地の縁部を縫着することによって形成されている。
【００２３】
下地３３は、例えばポリエステル、ナイロン（登録商標）、ポリウレタン等によって本体生地２２と略等幅の矩形状に形成されている。下地３３は、本体生地３２の一面側の略全面を覆うように配置され、本体生地３２に縫着されている。
【００２４】
係止金具３４は、下地３３の先端側から露出して雌カン２１側の係止金具２４（図２参照）と係合する爪部３４ａと、下地３３の内側に位置して本体生地３２及び下地３３に縫着される固定部（不図示）とを有している。係止金具３４は、例えば下地３３と本体生地３２との間に１段２つ環で配列され、列間の係止金具３４，３４のピッチは、係止金具２４，２４のピッチに合わせて例えば１０ｍｍ程度となっている。なお、係止金具３４の表面には、メッキが施されていてもよく、本体生地３２と同じ色に塗装が施されていてもよい。
【００２５】
ここで、図２に示すように、上述した雌カン２１において、本体生地２２の幅方向の両縁部には熱融着処理が施されており、熱融着処理によって形成された融着部２５によって相互の結合がなされている。融着部２５は、本体生地２２の縫着ラインよりも僅かに外側で幅方向の両縁部に沿って延び、融着部２５の先端は、本体生地２２の角部を超えて先端側の縁部にまで到達している。また、図３に示すように、雄カン３１において、本体生地２２の幅方向の両縁部にも同様の融着部３５が形成されている。
【００２６】
この融着部２５，３５には、融着時の熱による本体生地２２，３２の硬化を緩和するために柔軟化処理がなされている。図４は、柔軟化工程の一例を示す図である。同図に示すように、この柔軟化工程では、回転体４２に設置された複数の中空ドラム４３を備えた装置４１が用いられる。中空ドラム４３は、例えば断面八角形状をなしており、中心軸周りに回転可能に回転体４２に等間隔に取り付けられている。
【００２７】
この装置４１を用いて柔軟化工程を行う場合、まず、中空ドラム４３に衣類用生地片１１を投入する。中空ドラム４３への衣類用生地片１１の投入量は、中空ドラム４３の内積の４割〜８割程度であることが好ましく、５割〜７割程度であることがより好ましく、６割程度であることが更に好ましい。また、中空ドラム４３への雌カン２１と雄カン３１との投入比は、例えば１：１とすることが好ましい。そして、回転体４２の回転（公転）速度を例えば５００ｒｐｍ、及び中空ドラム４３の回転（自転）速度を例えば５００ｒｐｍとし、装置４１を１５分程度駆動させて衣類用生地片１１を中空ドラム４３内で撹拌する。
【００２８】
このような柔軟化工程を実施することにより、中空ドラム４３内にて衣類用生地片１１同士が互いに繰り返し衝突し、融着部２５，３５が擦り合わされて柔軟化される。これにより、衣類用生地片１１を取り付けたカップ付き衣類１では、融着部２５，３５が直に肌に触ったときの肌触りを向上できる。また、中空ドラム４３には衣類用生地片１１を多数投入することができるので、例えばペーパー研磨などにより手作業で融着部２５，３５を研磨する場合と比較して、コストの増加や製造効率の低下を抑えることが可能となる。
【００２９】
また、本実施形態では、柔軟化工程において、衣類用生地片１１のみを中空ドラム４３に投入しており、研磨剤その他の投入は行っていない。この場合、衣類用生地片１１の柔軟化の作業効率を確保でき、コストの増加も回避できる。
【００３０】
本発明は、上記実施形態に限られるものではない。例えば上述した実施形態では、衣類用生地片の例として雌カン２１及び雄カン３１を例示しているが、融着部を有する衣類用生地片であれば本発明を適用可能である。また、上述した実施形態では、融着部２５，３５が本体生地２２，３２の幅方向の両縁部に沿って延びているが、融着部の形成位置は本体生地の表面であれば特に制限はない。
【００３１】
また、上記実施形態では、雌カン２１と雄カン３１とを混合して中空ドラム４３へ投入する例を挙げているが、本発明はこれに限定されるものではない。例えば雌カン２１のみ、或いは雄カン３１のみをそれぞれ別々の中空ドラム４３内に投入して撹拌するようにしてもよい。
【００３２】
雄カン３１の融着部３５の結合力が小さい場合には、上記の撹拌処理によって、融着部３５が分離してしまうことも考えられる。このような場合には、ネット等の布材からなる袋に雄カン３１を収納した状態で中空ドラム４３内に投入して撹拌するようにしてもよい。雌カン２１の場合も同様である。この場合には、撹拌時の衝撃が緩和され、結合力の小さい融着部が分離してしまうことを抑制できる。
【００３３】
また、上記実施形態では、回転体４２に設置された複数の中空ドラム４３を備えた、いわゆる遠心バレル研磨装置を用いて柔軟加工を施す例を挙げている。しかしながら、本発明に用いる装置はこれに限定されるものではなく、回転する中空ドラムを備えた装置であればよい。この場合にも上記実施形態と同様の効果を得ることができる。
【符号の説明】
【００３４】
１１…衣類用生地片
２１…雌カン
２２…本体生地
２４…係止金具（雌部材）
２５…融着部
３１…雄カン
３２…本体生地
３４…係止金具（雄部材）
３５…融着部
４３…中空ドラム
【図１】
2014073036.tif 000003
【図２】
2014073036.tif 000004
【図３】
2014073036.tif 000005
【図４】
2014073036.tif 000006
【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
本体生地の縁部の少なくとも一部に融着部が形成された衣類用生地片であって、
前記融着部は、前記衣類用生地片を中空ドラムに複数投入して回転させ、前記本体生地同士を繰り返し衝突させることによって柔軟化されていることを特徴とする衣類用生地片。
【請求項２】
前記衣類用生地片の前記中空ドラムへの投入数が、前記中空ドラムが回転したときに前記衣類用生地片が互いに擦り合う数に設定されたことを特徴とする請求項１記載の衣類用生地片。
【請求項３】
前記本体生地には、係止金具の雄部材及び雌部材のいずれか一方が取り付けられていることを特徴とする請求項１又は２記載の衣類用生地片。
【請求項４】
前記柔軟化は、前記衣類用生地片のみを前記中空ドラムに投入することによって実施されていることを特徴とする請求項１〜３のいずれか一項記載の衣類用生地片。
【請求項５】
本体生地の縁部の少なくとも一部に融着部が形成された衣類用生地片の製造方法であって、
前記衣類用生地片を中空ドラムに複数投入して回転させ、前記本体生地同士を繰り返し衝突させることによって前記融着部を柔軟化する柔軟化工程を有していることを特徴とする衣類用生地片の製造方法。
【請求項６】
前記柔軟化工程において、前記衣類用生地片の前記中空ドラムへの投入数を、前記中空ドラムが回転したときに前記衣類用生地片が互いに擦り合う数に設定することを特徴とする請求項５記載の衣類用生地片の製造方法。
【請求項７】
前記本体生地には、係止金具の雄部材及び雌部材のいずれか一方が取り付けられていることを特徴とする請求項５又は６記載の衣類用生地片の製造方法。
【請求項８】
前記柔軟化工程において、前記衣類用生地片のみを前記中空ドラムに投入することを特徴とする請求項５〜７のいずれか一項記載の衣類用生地片の製造方法。
【国際調査報告】
2014073036.tif 000007
2014073036.tif 000008